(57)【要約】【課題】  磁気ヘッドが搭載され、浮上面と略直交する空気流出端側の端面には、磁気ヘッドの端子が形成された磁気ヘッドスライダの保持機構に関し、磁気ヘッドスライダを正確に保持でき、磁気ヘッドの端子と外部との電気的導通を確実にとれる磁気ヘッドスライダの保持機構を実現する。【解決手段】  第１の押さえ支持部材７の付勢力によって、磁気ヘッドスライダ１の空気流入端側端面を第１の突き当てブロック５に押し付け、第２の押さえ支持部材８の付勢力によって、磁気ヘッドスライダ１の一方の側方端面を第２の突き当てブロック６に押し付けることにより、磁気ヘッドスライダ１を拘束する。又、弾性材を設けることにより、磁気ヘッド１２の端子１３〜１６に、リード端子４１〜４４を全面的に押し付け、磁気ヘッド１２の端子１３〜１６と外部との電気的導通を確保する。【選択図】    図１
2005071534.tif 000002
【特許請求の範囲】
【請求項１】
磁気ヘッドが搭載され、浮上面と略直交する空気流出端側端面には、磁気ヘッドの端子が形成された磁気ヘッドスライダの保持機構であって、
磁気ヘッドスライダの空気流入端側端面が突き当てられる第１の突き当てブロックと、
磁気ヘッドスライダの一方の側方端面が突き当てられる第２の突き当てブロックと、
磁気ヘッドスライダの空気流出端側端面に対向するように配置され、第１の突き当てブロック方向に磁気ヘッドスライダを付勢するための第１の押さえ支持部材と、
磁気ヘッドスライダの他方の側方端面に対向するように配置され、第２の突き当てブロック方向に磁気ヘッドスライダを付勢するための第２の押さえ支持部材と、
第１の押さえ支持部材と磁気ヘッドスライダの空気流出端側端面との間に、前記磁気ヘッドの端子に当接可能に配置されたリード端子と、
第１の押さえ支持部材と前記リード端子との間に配置され、前記リード端子を前記磁気ヘッドの端子に押し付ける弾性材と
からなる磁気ヘッドスライダの保持機構。
【請求項２】
磁気ヘッドが搭載され、浮上面と略直交する空気流出端側端面には、磁気ヘッドの端子が形成された磁気ヘッドスライダの保持機構であって、
磁気ヘッドスライダの空気流入端側端面が突き当てられる第１の突き当てブロックと、
磁気ヘッドスライダの一方の側方端面が突き当てられる第２の突き当てブロックと、
磁気ヘッドスライダの他方の側方端面と空気流出端側端面との角部を対角線方向に押圧する傾斜部が、空気流出端側端面と対向する平行部に連続して形成された押さえ支持部材と、
この押さえ支持部材の平行部と磁気ヘッドスライダの空気流出端側端面との間に配置され、前記磁気ヘッドの端子に当接可能なリード端子と、
前記押さえ支持部材の平行部と前記リード端子との間に配置され、前記リード端子を前記磁気ヘッドの端子に押し付ける弾性材と
からなる磁気ヘッドスライダの保持機構。
【発明の詳細な説明】
【技術分野】
【０００１】
本発明は、磁気ヘッドが搭載され、浮上面と略直交する空気流出端側の端面には、磁気ヘッドの端子が形成された磁気ヘッドスライダの保持機構に関する。
【背景技術】
【０００２】
一般的な磁気ディスク装置は、磁気ヘッドが搭載された磁気ヘッドスライダを、サスペンション（ジンバルばねやロードビーム等）を介してキャリッジアームで支持し、このキャリッジアームをボイスコイルモータでもって記録媒体の半径方向に移動するように構成されている。装置稼働時の磁気ヘッドスライダは、記録媒体の回転により生じた空気流により、記録媒体の表面から浮上した状態にあり、この浮上状態の磁気ヘッドでもって、情報の記録／再生が行われる。
【０００３】
磁気ディスク装置の組立に際しては、事前に磁気ヘッドスライダの性能試験を行う必要がある。その性能試験は、従来、磁気ヘッドスライダとサスペンションとを結合した磁気ヘッドアセンブリの状態で、試験機に搭載して行っている（例えば、特許文献１参照）。この試験では、実際に記録媒体を回転させ、磁気ヘッドスライダを記録媒体から浮上させて、この時の磁気ヘッドスライダの浮上量を検査したり、磁気ヘッドによる記録／再生性能を検査している。
【０００４】
試験の結果、磁気ヘッドスライダが不良品と判定された場合、従来の検査では、磁気ヘッドスライダとサスペンションとが結合されているために、正常なサスペンションであっても、不良品とされた磁気ヘッドスライダと共に廃棄されることになる。近年のサスペンションは、磁気ヘッドスライダの小型化に伴い、その表面に磁気ヘッドに通じる配線等も形成されており、製造コストが高くなっている。このため、従来のように磁気ヘッドアセンブリの状態で試験を行う場合、製造費用の無駄が多く発生することになる。
【特許文献１】特開平０６−０４４５３０号公報（図１）
【発明の開示】
【発明が解決しようとする課題】
【０００５】
正常なサスペンションを磁気ヘッドスライダと共に廃棄してしまう無駄を無くすために、サスペンションと結合前の磁気ヘッドスライダ単体を検査し、良品の磁気ヘッドスライダのみをサスペンションに結合する方法が考えられている。この場合に、次々と磁気ヘッドスライダを交換して試験機にセットする必要がある。磁気ヘッドスライダの試験機へのセット方法には、磁気ヘッドスライダ単体を直接試験機にセットする方法と、磁気ヘッドスライダをまず取り付け治具にセットし、この取り付け治具を試験機にセットする方法とがある。これら何れの方法でも、磁気ヘッドの端子と外部との電気的導通を確実にとる必要があり、磁気ヘッドスライダを正確に保持する必要がある。
【０００６】
本発明は、磁気ヘッドスライダを正確に保持でき、磁気ヘッドの端子と外部との電気的導通を確実にとれる磁気ヘッドスライダの保持機構を実現しようとするものである。
【課題を解決するための手段】
【０００７】
上記課題を解決する請求項１に係る発明は、磁気ヘッドが搭載され、浮上面と略直交する空気流出端側端面には、磁気ヘッドの端子が形成された磁気ヘッドスライダの保持機構であって、磁気ヘッドスライダの空気流入端側端面が突き当てられる第１の突き当てブロックと、磁気ヘッドスライダの一方の側方端面が突き当てられる第２の突き当てブロックと、磁気ヘッドスライダの空気流出端側端面に対向するように配置され、第１の突き当てブロック方向に磁気ヘッドスライダを付勢するための第１の押さえ支持部材と、磁気ヘッドスライダの他方の側方端面に対向するように配置され、第２の突き当てブロック方向に磁気ヘッドスライダを付勢するための第２の押さえ支持部材と、第１の押さえ支持部材と磁気ヘッドスライダの空気流出端側端面との間に、前記磁気ヘッドの端子に当接可能に配置されたリード端子と、第１の押さえ支持部材と前記リード端子との間に配置され、前記リード端子を前記磁気ヘッドの端子に押し付ける弾性材とからなるものである。
【０００８】
この発明において、磁気ヘッドスライダは、第１の押さえ支持部材の付勢力によって、空気流入端側端面が第１の突き当てブロックに押し付けられ、第２の押さえ支持部材の付勢力によって、一方の側方端面が第２の突き当てブロックに押し付けられ、拘束される。又、磁気ヘッドの端子には、弾性材の存在により、リード端子が全面的に押し付けられ、導通がとられる。
【０００９】
又、請求項２に係る発明は、磁気ヘッドが搭載され、浮上面と略直交する空気流出端側端面には、磁気ヘッドの端子が形成された磁気ヘッドスライダの保持機構であって、磁気ヘッドスライダの空気流入端側端面が突き当てられる第１の突き当てブロックと、磁気ヘッドスライダの一方の側方端面が突き当てられる第２の突き当てブロックと、磁気ヘッドスライダの他方の側方端面と空気流出端側端面との角部を対角線方向に押圧する傾斜部が、空気流出端側端面と対向する平行部に連続して形成された押さえ支持部材と、この押さえ支持部材の平行部と磁気ヘッドスライダの空気流出端側端面との間に配置され、前記磁気ヘッドの端子に当接可能なリード端子と、前記押さえ支持部材の平行部と前記リード端子との間に配置され、前記リード端子を前記磁気ヘッドの端子に押し付ける弾性材とからなるものである。
【００１０】
この発明において、磁気ヘッドスライダは、一つの押さえ支持部材の付勢力によって、空気流入端側端面が第１の突き当てブロックに押し付けられ、一方の側方端面が第２の突き当てブロックに押し付けられ、拘束される。又、磁気ヘッドの端子には、弾性材の存在により、リード端子が全面的に押し付けられ、導通がとられる。
【発明の効果】
【００１１】
請求項１に係る発明によれば、磁気ヘッドスライダは、第１，第２の押さえ支持部材の付勢力によって、空気流入端側端面が第１の突き当てブロックに押し付けられ、一方の側方端面が第２の突き当てブロックに押し付けられるため、磁気ヘッドスライダは回転ずれを生じることなく正確に保持される。しかも、磁気ヘッドの端子には、弾性材の存在によりリード端子が全面的に押し付けられている。このため、磁気ヘッドの端子と外部との電気的導通を確実にとることができる。
【００１２】
請求項２に係る発明によれば、磁気ヘッドスライダは、一つの押さえ支持部材の付勢力によって、空気流入端側端面が第１の突き当てブロックに押し付けられ、一方の側方端面が第２の突き当てブロックに押し付けられるため、磁気ヘッドスライダは回転ずれを生じることなく正確に正確に保持される。しかも、磁気ヘッドの端子には、弾性材の存在によりリード端子が全面的に押し付けられている。このため、磁気ヘッドの端子と外部との電気的導通を確実にとることができる。
【発明を実施するための最良の形態】
【００１３】
以下、図面を用いて本発明を実施するための最良の形態を説明する。
（第１の形態例）
図１〜図５を用いて本発明の第１の形態例を説明する。本形態例は、検査対象である磁気ヘッドスライダ単体を予め取り付け治具にセットし、この取り付け治具を試験機にセットして検査を行う場合の保持機構で、本形態例の保持機構は取り付け治具に設けられている。
【００１４】
図５に示した試験機は、磁気ヘッドが搭載され、浮上面と略直交する空気流出端側端面には、磁気ヘッドの端子が形成された磁気ヘッドスライダ単体を検査対象とするもので、装置上面の左側に、前後に並べて一対の取り付け治具１０を搭載でき、装置上面の右側にも、前後に並べて一対の取り付け治具１０を搭載できる。各取り付け治具１０には、検査対象である磁気ヘッドスライダ１がその浮上面を上方に向けて保持機構により保持されている。
【００１５】
前側の取り付け治具１０と後側の取り付け治具１０との中間位置には、試験用記録媒体２が、左検査位置及び右検査位置に移動できるように設けられており、左検査位置では、左側の一対の取り付け治具１０上の磁気ヘッドスライダ１の浮上面に上方から対向して回転駆動され、右検査位置では、右側の一対の取り付け治具１０上の磁気ヘッドスライダ１の浮上面に上方から対向して回転駆動されるようになっている。
【００１６】
検査は、左側の一対の磁気ヘッドスライダ１と右側の一対の磁気ヘッドスライダ１とを交互に選択して行う。具体的には、試験用記録媒体２を回転駆動して左右の何れか一方の磁気ヘッドスライダ１（一対）の検査を行っている間に、他方の磁気ヘッドスライダ１（一対）を交換することで、磁気ヘッドスライダ１を2個ずつ連続的に検査する。
【００１７】
磁気ディスク装置においては、磁気ヘッドスライダ１は、ローリング及びピッチング運動可能にジンバルばねで支えられていると共に、ロードアームにより記録媒体に加圧されている。そこで、これと同様な条件で試験できるように、取り付け治具１０には、図４に示すように、ジンバルばね３が設けられており、このジンバルばね３上に、ジンバルばね３をも構成の一部とする保持機構が構成されている。
【００１８】
ここに例示したジンバルばね３は、略８角形状の金属薄板に同軸的に大径の半円弧状スリット３１，３２を対向して形成し、且つ、この内側に９０°ずらせて、小径の半円弧状スリット３３，３４を対向して形成したもので、大径の半円弧状スリット３１，３２の外側の外縁部３５は、取り付け治具１０にビス等により固定されている。上記スリット３１〜３４により、小径の半円弧状スリット３３，３４の内側の円形部（中央部）３６は、傾動可能になる。
【００１９】
取り付け治具１０における、ジンバルばね３の円形部３６の下面側に対向する位置には、空洞が形成されており、この空洞内に円板状のベース４が収納されている。このベース４は、ジンバルばね３の円形部３６にビス等により固定され、円形部３６と共に傾動できるようになっている。
【００２０】
ここで、磁気ヘッドスライダ１について図１を用いて説明すると、保持機構に保持された磁気ヘッドスライダ１に対して、試験用記録媒体２の対向面は、図１において左方向に移動する。このため、磁気ヘッドスライダ１も同方向の空気流を受け、その浮上面１１が試験用記録媒体２の対向面から離れることになる。本明細書における磁気ヘッドスライダ１の空気流入端側端面とは、この空気流の上流側端面を指し、図１における右側端面を指す。一方、磁気ヘッドスライダ１の空気流出端側端面は、空気流の下流側端面を指し、図１における左側端面を指す。磁気ヘッド（読み取りヘッド及び書き込みヘッド）１２は、磁気ヘッドスライダ１の空気流出端側端面に形成され、磁気ヘッド１２の端子１３〜１６も、この空気流出端側端面に形成されている。
【００２１】
図１〜図４において、第１の突き当てブロック５は、ベース４の上面に突設され、ジンバルばね３の円形部３６に穿設された角穴３６ａを貫通して、磁気ヘッドスライダ１の厚み程度上方に伸びている。そして、この側面には、磁気ヘッドスライダ１の空気流入端側端面が突き当てられるように構成されている。
【００２２】
第２の突き当てブロック６は、ベース４の上面に突設され、ジンバルばね３の円形部３６に穿設された角穴３６ｂを貫通して、磁気ヘッドスライダ１の厚み程度上方に突き出たで、磁気ヘッドスライダ１の一方の側方端面（図１の下側の側方端面）がその側面に突き当てられるものである。
【００２３】
ジンバルばね３の円形部３６には、磁気ヘッド１２の端子１３〜１６に当接できるように、その一部を切り起こし且つ切り起こし部分の先端を磁気ヘッドスライダ１側の下方に折り返すことにより、第１の逆Ｕ字状垂下部３６ｃ，３６ｄが形成されている。更に、磁気ヘッドスライダ１の他方の側方端面に当接できるように、その一部を切り起こし且つその先端を下方に折り返すことにより、第２の逆Ｕ字状垂下部３６ｅが形成されている。
【００２４】
第１の押さえ支持部材７は、ベース４の上面に突設され、第１の逆Ｕ字状垂下部３６ｃ，３６ｄの形成により円形部３６に生じた穴３６ｆを貫通して、磁気ヘッドスライダ１の厚み程度上方に突き出たもので、その側面にて第１の逆Ｕ字状垂下部３６ｃ，３６ｄを背面側から押すことで、第１の逆Ｕ字状垂下部３６ｃ，３６ｄを介して、磁気ヘッドスライダ１を第１の突き当てブロック５方向に付勢するものである。
【００２５】
第２の押さえ支持部材８は、ベース４の上面に突設され、第２の逆Ｕ字状垂下部３６ｅの形成により円形部３６に生じた穴３６ｇを貫通して、磁気ヘッドスライダ１の厚み程度上方に突き出たもので、その側面で第２の逆Ｕ字状垂下部３６ｅを背面側から押すことで、第２の逆Ｕ字状垂下部３６ｅを介して、磁気ヘッドスライダ１を第２の突き当てブロック６方向に付勢するものである。
【００２６】
第１及び第２の押さえ支持部材７，８に大きな弾性を持たせるために、その基部は薄く形成されている。又、第１の押さえ支持部材７側の逆Ｕ字状垂下部３６ｃの外周面には、絶縁膜を介して、磁気ヘッド１２の端子１３，１４（例えば読み取りヘッド側端子）に接触するリード端子４１，４２が形成され、逆Ｕ字状垂下部３６ｄの外周面には、磁気ヘッド１２の端子１５，１６（例えば書き込みヘッド側端子）に接触するリード端子４３，４４が形成されている。リード端子４１〜４４は、ジンバルばね３上に絶縁膜を介して形成した配線パターン（一部以外は図示せず）３８を介して、図４に示したジンバルばね３の延設部３７上の信号端子３７ａ〜３７ｄに接続されている。
【００２７】
特に図２に示すように、第１の逆Ｕ字状垂下部３６ｃ，３６ｄの内側空間には、逆Ｕ字状垂下部３６ｃ，３６ｄが磁気ヘッドスライダ１方向に良好に伸縮できるように、ゴム等でなる弾性材９ａ，９ｂが挿入固定されている。又、図３に示すように、第２の逆Ｕ字状垂下部３６ｅの内側空間にも、逆Ｕ字状垂下部３６ｅが磁気ヘッドスライダ１方向に良好に伸縮できるように、ゴム等でなる弾性材９ｃが挿入固定されている。弾性材９ａ，９ｂは、リード端子４１〜４４を磁気ヘッド１２の端子１３〜１６に均等に押し付ける機能をも有している。
【００２８】
本形態例において、磁気ヘッドスライダ１は上方から取り付け治具１０に差し込まれる。差し込まれた状態（図１の状態）の磁気ヘッドスライダ１は、第１の押さえ支持部材７の付勢力によって、空気流入端側端面が第１の突き当てブロック５に押し付けられ、第２の押さえ支持部材８の付勢力によって、一方の側方端面が第２の突き当てブロック６に押し付けられ、正しい位置に拘束される。しかも、弾性材９ａ，９ｂの存在により、磁気ヘッド１２の端子１３〜１６には、リード端子４１〜４４が全面的に押し付けられている。よって、磁気ヘッドスライダ１は回転ずれを生じることなく正確に保持されると共に、磁気ヘッド１２の端子１３〜１６と外部との電気的導通が良好にとられることになる。
【００２９】
尚、磁気ディスク装置においては、上記の通り、磁気ヘッドスライダ１はロードアームにより記録媒体に加圧されている。この加圧力に相当する力を図５の試験機においても加えるには、例えば、ベース４の下面をスプリング等により加圧するように構成すればよい。
（第２の形態例）
図６〜図７を用いて本発明の第２の形態例を説明する。これらの図において、図１〜図５と対応する部分には同一符号を付し、説明を省略する。本形態例と第１の形態例との相違点は、第２の押さえ支持部材８を無くし、第１及び第２の押さえ支持部材７，８の機能を有した一つの押さえ支持部材７１を設けると共に、第２の逆Ｕ字状垂下部３６ｅや弾性材９ｃを除いた点である。
【００３０】
押さえ支持部材７１は、側方から見たときＴ字形或いは逆Ｌ字形をしており、ベース４にはその垂直な脚部のみが固定されている。例えば逆Ｌ字形をしている場合、図６における下方の部位のみが脚部としてベース４方向に垂下しベース４に固定されている。
【００３１】
押さえ支持部材７１には、磁気ヘッドスライダ１の側方端面（図６における上方側）と空気流出端側端面との角部Ｐを、対角線方向に押圧する傾斜部７１ａと、磁気ヘッドスライダ１の空気流出端側端面と対向する平行部７１ｂとが、連続して形成されている。ここで、対角線方向とは、磁気ヘッドスライダ１を第１及び第２の突き当てブロック５，６に押し付けるような力成分を有した向きを意味する。
【００３２】
押さえ支持部材７１は、その傾斜部７１ａで、磁気ヘッドスライダ１の角部Ｐを対角線方向に押圧すると共に、平行部７１ｂで、第１の逆Ｕ字状垂下部３６ｃ，３６ｄを背面側から第１の突き当てブロック５方向に付勢し、磁気ヘッドスライダ１を拘束することになるが、傾斜部７１ａが磁気ヘッドスライダ１の側方端面を第２の突き当てブロック６に押し当てた状態では、第１の逆Ｕ字状垂下部３６ｃ，３６ｄ内の弾性材９ａ，９ｂは、既に縮んだ状態にある。
【００３３】
このように、本形態例においては、磁気ヘッドスライダ１は、一つの押さえ支持部材７１の付勢力によって、空気流入端側端面が第１の突き当てブロック５に押し付けられ、一方の側方端面が第２の突き当てブロック６に押し付けられ、正しい位置に拘束される。しかも、弾性材９ａ，９ｂの存在により、磁気ヘッド１２の端子１３〜１６には、リード端子４１〜４４が全面的に押し付けられている。よって、磁気ヘッドスライダ１は回転ずれを生じることなく正確に保持されると共に、磁気ヘッド１２の端子１３〜１６と外部との電気的導通が良好にとられることになる。
（その他の形態例）
本発明は上記形態例に限られるものではない。例えば、第１の形態例では、第２の押さえ支持部材８と磁気ヘッドスライダ１との間に第２の逆Ｕ字状垂下部３６ｅを設け、これを第２の押さえ支持部材８で背面側から押すように構成したが、第２の逆Ｕ字状垂下部３６ｅにはリード端子が設けられていないので、第２の逆Ｕ字状垂下部３６ｅや弾性材９ｃを設けずに、第２の押さえ支持部材８で磁気ヘッドスライダ１を直接付勢するようにしてもよい。但し、第２の逆Ｕ字状垂下部３６ｅや弾性材９ｃを設けた方が、第２の突き当てブロック６への突き当ては良好になされる。
【００３４】
又、ジンバルばね３の一部を切り起こして、第１の逆Ｕ字状垂下部３６ｃ，３６ｄと第２の逆Ｕ字状垂下部３６ｅとを形成したが、これらをジンバルばね３と別部品で構成してもよい。ジンバルばね３についても、半円弧状スリットを形成したものを示したが、これに代えてコ字状スリットを形成したもの等を用いてもよい。
【００３５】
本発明の代表的な態様を付記として次に示す。
（付記１）  磁気ヘッドが搭載され、浮上面と略直交する空気流出端側端面には、磁気ヘッドの端子が形成された磁気ヘッドスライダの保持機構であって、
磁気ヘッドスライダの空気流入端側端面が突き当てられる第１の突き当てブロックと、
磁気ヘッドスライダの一方の側方端面が突き当てられる第２の突き当てブロックと、
磁気ヘッドスライダの空気流出端側端面に対向するように配置され、第１の突き当てブロック方向に磁気ヘッドスライダを付勢するための第１の押さえ支持部材と、
磁気ヘッドスライダの他方の側方端面に対向するように配置され、第２の突き当てブロック方向に磁気ヘッドスライダを付勢するための第２の押さえ支持部材と、
第１の押さえ支持部材と磁気ヘッドスライダの空気流出端側端面との間に、前記磁気ヘッドの端子に当接可能に配置されたリード端子と、
第１の押さえ支持部材と前記リード端子との間に配置され、前記リード端子を前記磁気ヘッドの端子に押し付ける弾性材と
からなる磁気ヘッドスライダの保持機構。
（付記２）  前記第２の押さえ支持部材と磁気ヘッドスライダの前記他方の側方端面との間に、磁気ヘッドスライダを第２の突き当てブロック方向に押圧する第２の弾性材が配置されていることを特徴とする付記１記載の磁気ヘッドスライダの保持機構。
（付記３）  磁気ヘッドが搭載され、浮上面と略直交する空気流出端側端面には、磁気ヘッドの端子が形成された磁気ヘッドスライダの保持機構であって、
磁気ヘッドスライダの空気流入端側端面が突き当てられる第１の突き当てブロックと、
磁気ヘッドスライダの一方の側方端面が突き当てられる第２の突き当てブロックと、
磁気ヘッドスライダの他方の側方端面と空気流出端側端面との角部を対角線方向に押圧する傾斜部が、空気流出端側端面と対向する平行部に連続して形成された押さえ支持部材と、
この押さえ支持部材の平行部と磁気ヘッドスライダの空気流出端側端面との間に配置され、前記磁気ヘッドの端子に当接可能なリード端子と、
前記押さえ支持部材の平行部と前記リード端子との間に配置され、前記リード端子を前記磁気ヘッドの端子に押し付ける弾性材と
からなる磁気ヘッドスライダの保持機構。
（付記４）  外縁部が固定され、中央部が傾動可能に形成されたジンバルばねを有し、
該ジンバルばねの中央部の一部を切り起こして形成された逆Ｕ字状垂下部の外周面に前記リード端子が設けられ、前記逆Ｕ字状垂下部の内側空間に、前記弾性材が挿入されていることを特徴とする付記１〜３の何れかに記載の磁気ヘッドスライダの保持機構。
【図面の簡単な説明】
【００３６】
【図１】本発明の第１の形態例を示す平面図である。
【図２】図１の切断線Ａ−Ａにおける正面断面図である。
【図３】図１の切断線Ｂ−Ｂにおける正面断面図である。
【図４】図１に示した形態例の分解斜視図である。
【図５】試験機の一例を示す斜視図である。
【図６】本発明の第２の形態例を示す平面図である。
【図７】図６の切断線Ａ−Ａにおける正面断面図である。
【符号の説明】
【００３７】
１             磁気ヘッドスライダ
２             試験用記録媒体
３             ジンバルばね
４             ベース
５             第１の突き当てブロック
６             第２の突き当てブロック
７             第１の押さえ支持部材
８             第２の押さえ支持部材
９ａ，９ｂ，９ｃ   弾性材
１０           取り付け治具
１２           磁気ヘッド
１３〜１６     端子
３５           外縁部
３６           円形部（中央部）
３６ｃ，３６ｄ，３６ｅ   逆Ｕ字状垂下部
４１〜４４     リード端子
７１           押さえ支持部材
７１ａ         傾斜部
７１ｂ         平行部
Ｐ             角部
【図１】
2005071534.tif 000003
【図２】
2005071534.tif 000004
【図３】
2005071534.tif 000005
【図４】
2005071534.tif 000006
【図５】
2005071534.tif 000007
【図６】
2005071534.tif 000008
【図７】
2005071534.tif 000009